(57)【要約】  実施形態によれば、映像表示装置は、配信されるコンテンツの特徴を自動的に認識するコンテンツ自動認識部と、外部情報端末に情報を送受信するための通信部と、コンテンツ自動認識部で認識された前記コンテンツの特徴に基づいて、コンテンツに関連する広告情報を蓄積するサーバから広告情報を取得し、ユーザ操作をトリガーとして、広告情報を外部情報端末に送信する処理部とを備える。
2015129023.tif 000002
【特許請求の範囲】
【請求項１】
配信されるコンテンツの特徴を自動的に認識するコンテンツ自動認識部と、
外部情報端末に情報を送受信するための通信部と、
前記コンテンツ自動認識部で認識された前記コンテンツの特徴に基づいて、当該コンテンツに関連する広告情報を蓄積するサーバから当該広告情報を取得し、ユーザ操作をトリガーとして、前記広告情報を前記外部情報端末に送信する処理部と、を備える映像表示装置。
【請求項２】
前記処理部は、トリガーとなるユーザ操作を検出した場合、前記広告情報を前記外部情報端末に送信する請求項１の映像表示装置。
【請求項３】
前記広告情報を前記外部情報端末に送信することを前記処理部に実行させる信号を発信する信号機器をさらに備える請求項２の映像表示装置。
【請求項４】
前記ユーザ操作は、前記信号機器を使用することによって実行される請求項３の映像表示装置。
【請求項５】
前記処理部は、前記信号機器から送信信号を受信した場合に、前記広告情報を前記外部情報端末に送信する請求項４の映像表示装置。
【請求項６】
前記信号機器は、前記外部情報端末である請求項５の映像表示装置。
【請求項７】
映像表示装置によって送信される第１のコンテンツに関連する広告情報を受信する受信部と、
前記受信部によって受信された前記広告情報に含まれる広告タイトルと、この広告タイトルに関連する第２のコンテンツをみるためのボタンとを表示させ、このボタン押下によって前記第２のコンテンツを表示する表示制御部とを備えた外部情報端末。
【請求項８】
前記表示制御部は、前記第２のコンテンツに関連する特典である特典情報を表示する請求項７の外部情報端末。
【請求項９】
情報の送受信をする通信部と、当該情報に関連する表示ができる画面と、を備える外部情報端末で実行するためのプログラムであって、
前記通信部を介して、コンテンツが配信される映像表示装置から当該映像表示装置に表示される当該コンテンツに関連する広告情報を受信するステップと、
受信した前記広告情報に関連する広告である前記第１のコンテンツを当該第１のコンテンツが蓄積されるサーバから取得するステップと、
取得した前記第１のコンテンツを前記外部情報端末に適合する第２のコンテンツとして表示するステップと、を外部情報端末で実行するためのプログラム。
【請求項１０】
前記第２のコンテンツに関連する特典である特典情報を、前記第２のコンテンツとともに表示するステップを、さらに備えた外部情報端末で実行するための請求項９のプログラム。
【請求項１１】
前記第２のコンテンツを表示する回数をカウントし、外部サーバへ回数情報を送信するステップを、さらに備えた外部情報端末で実行するための請求項１０のプログラム。
【発明の詳細な説明】
【技術分野】
【０００１】
本発明の実施形態は、映像表示装置、外部情報端末、及び外部情報端末で実行するためのプログラムに関する。
【背景技術】
【０００２】
コンテンツ自動認識（ＡＣＲ：Auto Content Recognition）技術は、コンテンツを自動的に認識し特定する技術である。ＡＣＲ機能を搭載した受像機器（映像表示装置）は、現在視聴中のＣＭや番組に応じた広告をリアルタイムに表示できる。ＡＣＲ機能を搭載した受像機器は、現在視聴中のＣＭのＩＤ（ＣＭ  ＩＤ）や番組のＩＤ（Ｐｒｏｇｒａｍ  ＩＤ）などをキーとして、該当する広告コンテンツのＩＤ（広告ＩＤ）などの広告情報を取得し、取得した広告ＩＤをキーとして広告コンテンツをダウンロードする。ダウンロードした広告コンテンツをＣＭや番組上に重ねて表示することにより、ＡＣＲ機能を搭載した受像機器は現在視聴中のＣＭや番組に関連する広告をユーザに提供できる。
【先行技術文献】
【特許文献】
【０００３】
【特許文献１】特開２０１２−２２５２２号公報
【発明の概要】
【発明が解決しようとする課題】
【０００４】
従来の受像機器では機器内に広告情報を保持していたため受像機器でのみ広告情報に基づく広告を視聴可能であった。【０００５】
したがって、本発明が解決しようとする課題は、受像機器で視聴される広告情報を外部の端末での視聴を可能にする映像表示装置、外部情報端末、及び外部情報端末で実行するためのプログラムを提供することである。
【課題を解決するための手段】
【０００６】
本実施形態に係る映像表示装置は、配信されるコンテンツの特徴を自動的に認識するコンテンツ自動認識部と、外部情報端末に情報を送受信するための通信部と、コンテンツ自動認識部で認識された前記コンテンツの特徴に基づいて、コンテンツに関連する広告情報を蓄積するサーバから広告情報を取得し、ユーザ操作をトリガーとして、広告情報を外部情報端末に送信する処理部とを備える。
【図面の簡単な説明】
【０００７】
【図１】図１は、第１の実施形態の送受信システムの一例を示す図である。
【図２】図２は、映像処理装置を示す図である。
【図３】図３は、携帯情報端末を示す図である。
【図４】図４は、ＡＣＲ用アプリケーションの表示画面の一例を示す図である。
【図５】図５は、ＡＣＲ用アプリケーションの表示画面の一例を示す図である。
【図６】図６は、受像機器の処理の一例を示す図である。
【図７】図７は、携帯情報端末の処理の一例示す図である。
【図８】図８は、送受信システムの処理の一例を示す図である。
【図９】図９は、第１の実施形態の送受信システムの一例を示す図である。
【図１０】図１０は、第１の実施形態の送受信システムの一例を示す図である。
【図１１】図１１は、第２の実施形態の送受信システムの一例を示す図である。
【図１２】図１２は、第２の実施形態のＡＣＲ用アプリケーションの表示画面の一例を示す図である。
【図１３】図１３は、第２の実施形態のＡＣＲ用アプリケーションの表示画面の一例を示す図である。
【図１４】図１４は、第２の実施形態の受像機器の処理を示す図である。
【図１５】図１５は、第２の実施形態の携帯情報端末の処理の一例示す図である。
【図１６】図１６は、第２の実施形態の送受信システムの処理の一例を示す図である。
【図１７】図１７は、第３の実施形態の送受信システムの一例を示す図である。
【図１８】図１８は、第３の実施形態のＡＣＲ用アプリケーションの表示画面の一例を示す図である。
【図１９】図１９は、第３の実施形態のＡＣＲ用アプリケーションの表示画面の一例を示す図である。
【図２０】図２０は、第３の実施形態の受像機器の処理の一例を示す図である。
【図２１】図２１は、第３の実施形態の携帯情報端末の処理の一例示す図である。
【図２２】図２２は、第３の実施形態の送受信システムの処理の一例を示す図である。
【発明を実施するための形態】
【０００８】
以下図面を参照して実施形態の説明をする。
【０００９】
（第１の実施形態）
図１は、実施形態が適用可能な送受信システム１の一例を示す。なお、以下に説明する要素や構成は、マイクロコンピュータ（処理装置、ＣＰＵ（Central Processing Unit））によりソフトウエアで実現するものであってもよいし、ハードウエアで実現するものであってもよい。また、モニタ部が表示するコンテンツの取得の方法としては、空間波（電波）の利用、ケーブル（光ファイバを含む）やインターネット・プロトコル（Internet Protocol）通信網等のネットワークの利用、ネットワークからのストリーミング映像の信号処理や、ネットワーク機能を使用する映像転送技術等、任意である。なお、コンテンツは、ストリームや番組もしくは情報と称する場合もあり映像及び音声または音楽等を含む。また、映像は、動画と静止画あるいはテキスト（コード化された符号列で示される文字や記号等で表される情報）、ならびにその任意の組み合わせを含む。
【００１０】
送受信システム１は、例えば受像機器（sink appratus、または映像表示装置）１００、携帯情報端末（外部情報端末）２００、フィンガープリントサーバ３０１、コンテンツＩＤ取得サーバ３０２、及び広告サーバ３０３などの複数の電子機器により構成される。
【００１１】
受像機器（sink appratus）１００は、例えば、コンテンツ自動認識（ＡＣＲ：Automatic Content Recognition）機能を搭載するＴＶ（ＡＣＲ機能搭載機器）、放送信号や記憶媒体が保持する映像コンテンツなどを表示もしくは再生することができる放送受信装置、またはコンテンツの記録及び再生が可能な録画再生装置（レコーダ）などのＡＣＲ機能を搭載した映像処理装置である。なお、受像機器１００は、sink appratusとして機能することが可能であれば、例えばＢＤ（Blu-ray Disk）規格の光ディスク／ＤＶＤ（Digital Versatile Disk）規格の光ディスクあるいはハードディスク装置（ＨＤＤ）へのコンテンツの記録及びそれらからのコンテンツの表示または再生が可能なレコーダ（映像記録装置）あるいはコンテンツを受信して映像処理装置へ供給するセットトップボックス（ＳＴＢ）などであってもよい。
【００１２】
携帯情報端末２００は、例えば、スマートフォン、携帯電話、表示部、操作部及び通信部を備える携帯電話端末やタブレット型パーソナルコンピュータ（ＰＣ）またはタブレット端末、携帯音楽プレーヤあるいは、ビデオゲーム機などの携帯可能な端末装置（以下携帯情報端末と呼称する）などである。
【００１３】
フィンガープリントサーバ３０１は、種々のコンテンツの特徴（フィンガープリント）、例えば、番組の情報をネットワーク４０１またはクラウドサービス（各種サーバ）上から収集し、データベース化して保持している。フィンガープリントサーバ３０１は、受像器１００と無線または有線で通信することができる。フィンガープリントサーバ３０１は、受像器１００からの要求に応じて、フィンガープリントを受像機器１００に提供することができる。フィンガープリントサーバ３０１は、受像機器１００で視聴中又は配信されるコンテンツから抽出された情報と保持しているフィンガープリントとを照合し、コンテンツから抽出された情報に適合するフィンガープリントを抽出する。そして、フィンガープリントサーバ３０１は、抽出したフィンガープリントの情報を受像器１００に送信する。なお、受像機器１００が視聴中又は配信中のコンテンツからフィンガープリントを直接抽出する機能を有していてもよい。この場合、フィンガープリントサーバ３０１はなくともよい。
【００１４】
コンテンツＩＤ取得サーバ３０２は、ネットワーク４０２、例えばクラウドサービス（各種サーバ）上などからコンテンツＩＤを収集し、データベース化して保持している。ここで、コンテンツＩＤは、視聴中または配信中の番組のＩＤ（Ｐｒｏｇｒａｍ  ＩＤ）およびＣＭのＩＤ（ＣＭ  ＩＤ）などの各々のコンテンツのＩＤである。コンテンツＩＤ取得サーバ３０２は、受像機器１００と無線または有線で通信することができる。コンテンツＩＤ取得サーバ３０２は、受像機器１００からの要求に応じ、ネットワーク４０２またはクラウドサービス上から収集した種々のコンテンツＩＤデータを提供する。
【００１５】
広告サーバ３０３は、種々の広告情報および広告コンテンツ（第１のコンテンツ）５０１を収集し、データベース化して保持している。広告サーバ３０３は、受像機器１００及び携帯情報端末２００のそれぞれと、無線または有線で通信することができる。広告サーバ３０３は、受像機器１００からの要求に応じて、広告情報および広告コンテンツ５０１を受像機器１００及び携帯情報端末２００に提供することができる。ここで、広告情報は、例えば、広告コンテンツを構成する映像及び音声情報、広告コンテンツ５０１のＩＤ（広告ＩＤ）、広告コンテンツ５０１のタイトル、及び広告のテキストなどである。また、広告コンテンツ５０１は、店舗、企業、サービス及び製品コマーシャル（ＣＭ）、製品及びサービスの説明（製品の特長、購買年齢層、取扱い店舗、価格など）、所定の店舗でのセール情報、おススメ製品、並びに製品に対する口コミなどのコンテンツである。
【００１６】
図２は、映像処理装置１００の一例を示す。
【００１７】
映像処理装置（受像機器）１００は、入力部１１１、復調部１１２、信号処理部１１３、音声処理部１２１、映像処理部１３１、ＯＳＤ処理部１３２、表示処理部１３３、制御部１５０、ストレージ１６０、操作入力部１６１、受信部１６２、ＬＡＮインタフェース１７１、外部インタフェース部１７３、及び近距離通信部１７４を備える。また、映像処理装置１００は、スピーカ１２２及びディスプレイ１３４を備える。なお、映像処理装置１００は、リモートコントローラ１６３からの制御入力（操作指示）を受けつけ、操作指示（制御入力）に対応する制御コマンドを、制御部１５０に供給する。
【００１８】
入力部１１１は、例えばアンテナ１０１を通じて受信可能なデジタル放送信号、例えば地上デジタル放送信号、ＢＳ（Broadcasting Satellite）デジタル放送信号、及び／またはＣＳ（Communication Satellite）デジタル放送信号を受信することができる。入力部１１１は、また例えばＳＴＢなど経由し、若しくは直接入力として供給されるコンテンツ（外部入力）を受け取ることができる。
【００１９】
入力部１１１は、受け取ったデジタル放送信号のチューニング（選局）を行う。入力部１１１は、チューニングしたデジタル放送信号を復調部１１２に供給する。ここで、ＳＴＢなどを経由する外部入力については、そのまま、復調部１１２へ供給することは、いうまでもない。
【００２０】
なお、受像機器１００は、複数の入力部（チューナ）１１１を備えていてもよい。その場合、受像機器１００は、複数のデジタル放送信号／コンテンツを、同時に受信することができる。
【００２１】
復調部１１２は、選局されたデジタル放送信号／コンテンツを復調する。すなわち、復調部１１２は、デジタル放送信号／コンテンツからトランスポートストリーム（ＴＳ、Transport Stream）などの動画データ（以下ストリームと称する）を取得する。復調部１１２は、取得したストリームを信号処理部１１３に入力する。なお、映像処理装置１００は、複数の復調部１１２を備えていてもよい。複数の復調部１１２は、複数のデジタル放送信号／コンテンツのそれぞれを、復調することができる。
【００２２】
上記のように、アンテナ１０１、入力部１１１及び復調部１１２は、ストリームを受信する受信手段として機能する。
【００２３】
信号処理部１１３は、ストリームに対する分離処理などの信号処理を行う。すなわち、信号処理部１１３は、ストリームをデジタル映像信号、デジタル音声信号、及びその他のデータ信号、例えばＥＰＧ（Electric Program Guide）や、データ放送と称する文字や符号からなるテキストデータなどを分離する。なお、信号処理部１１３は、複数の復調部１１２により復調された複数のストリームを分離することができる。
【００２４】
信号処理部１１３はまた、分離した音声処理部１２１にデジタル音声信号を供給する。信号処理部１１３はさらに、分離した映像処理部１３１にデジタル映像信号を供給する。また、信号処理部１１３は、制御部１５０に、ＥＰＧデータ、映像及び音声などのデータ信号を供給する。
【００２５】
なお、信号処理部１１３は、制御部１５０の制御に基づいて、上記のストリームを録画可能な状態のデータ（録画ストリーム）に変換することができる。信号処理部１１３は、さらに、制御部１５０の制御に基づいて、録画ストリームをストレージ１６０または他のモジュールに供給することができる。
【００２６】
またさらに、信号処理部１１３は、ストリームのビットレートを、オリジナル（放送信号／コンテンツ）で設定されているビットレートから他のビットレートに変換（トランスコード）することができる。すなわち、信号処理部１１３は、取得した放送信号／コンテンツのオリジナルのビットレートを、オリジナルに比較して低いビットレートにトランスコード（変換）することができる。これにより、信号処理部１１３は、より容量の少ない状態でコンテンツ（番組）を録画させることができる。
【００２７】
音声処理部１２１は、信号処理部１１３から受信したデジタル音声信号を、スピーカ１２２により再生可能なフォーマットの信号（オーディオ信号）に変換する。すなわち、音声処理部１２１は、Ｄ／Ａ（Digital to Analog）変換部を含み、デジタル音声信号をアナログオーディオ（音響）／音声信号に変換する。音声処理部１２１は、変換したオーディオ（音響）／音声信号をスピーカ１２２に供給する。スピーカ１２２は、供給されるオーディオ（音響）／音声信号から、音声及び音響音を再生する。
【００２８】
映像処理部１３１は、信号処理部１１３からのデジタル映像信号を、ディスプレイ１３４で再生可能なフォーマットの映像信号に変換する。すなわち、映像処理部１３１は、信号処理部１１３から受信したデジタル映像信号を、ディスプレイ１３４で再生可能なフォーマットの映像信号にデコードする。映像処理部１３１は、デコードした映像信号を表示処理部１３３に出力する。
【００２９】
ＯＳＤ処理部１３２は、信号処理部１１３から供給されるデータ信号及び/または制御部１５０から供給される制御信号（制御コマンド）に基づいて、例えばＧＵＩ（Graphical User Interface）表示、字幕表示、時刻表示、対応アプリケーション表示／アプリケーション非対応メッセージ、再生中の映像及びオーディオへの、携帯情報端末２００に音声通信またはそれに準じる通信データの着信、の報知情報、またはＡＣＲ機能によって取得される広告コンテンツ等を、映像処理部１３１からの表示信号に重畳して表示するためのＯＳＤ（On Screen Display）信号を生成する。
【００３０】
表示処理部１３３は、例えば、制御部１５０からの制御に基づいて、受信した映像信号に対して色味、明るさ、シャープ、コントラスト、またはその他の画質調整処理を行う。表示処理部１３３は、画質調整を施した映像信号をディスプレイ１３４に供給する。従い、ディスプレイ１３４は、供給される映像信号に基づいて映像を表示する。
【００３１】
表示処理部１３３はまた、画質調整処理後の上述の映像処理部１３１からの表示信号とＯＳＤ処理部１３２からのＯＳＤ信号とを重畳し、ディスプレイ１３４に供給する。
【００３２】
ディスプレイ１３４は、例えば、マトリクス状に配列された複数の画素を備える液晶表示パネルと、この液晶パネルを照明するバックライトとを備える液晶表示装置などを備える。ディスプレイ１３４は、表示処理部１３３から供給される映像信号に基づいて映像を表示する。
【００３３】
なお、受像機器１００は、ディスプレイ１３４の代わりに、映像信号を出力する出力端子を備える構成であってもよい。また、受像機器１００は、スピーカ１２２の代わりに、オーディオ信号を出力する出力端子を備える構成であってもよい。また、映像処理装置１００は、デジタル映像信号とデジタル音声信号とを出力する出力端子を備える構成であってもよい。
【００３４】
制御部１５０は、受像機器１００の各部の動作を制御する制御手段として機能する。制御部１５０は、ＣＰＵ１５１、ＲＯＭ１５２、ＲＡＭ１５３、ＥＥＰＲＯＭ（不揮発性メモリ）１５４及びＡＣＲ部１５５などを備えている。制御部１５０は、操作入力部１６１から供給される操作信号に基づいて、種々の処理を行う。
【００３５】
ＣＰＵ１５１は、種々の演算処理を実行する演算素子などを備える。ＣＰＵ１５１は、ＲＯＭ１５２、またはＥＥＰＲＯＭ１５４などに記憶されているプログラムを実行することにより種々の機能を実現する。
【００３６】
ＲＯＭ１５２は、受像機器１００を制御するためのプログラム、及び各種の機能を実現するためのプログラムなどを記憶する。ＣＰＵ１５１は、操作入力部１６１から供給される操作信号に基づいて、ＲＯＭ１５２に記憶されているプログラムを起動する。これにより、制御部１５０は、各部の動作を制御する。
【００３７】
ＲＡＭ１５３は、ＣＰＵ１５１のワークメモリとして機能する。すなわち、ＲＡＭ１５３は、ＣＰＵ１５１の演算結果、ＣＰＵ１５１により読み込まれたデータなどを記憶する。
【００３８】
ＥＥＰＲＯＭ１５４は、各種の設定情報、及びプログラムなどを記憶する不揮発性メモリである。
【００３９】
ＡＣＲ部１５５は、信号処理部１１３から供給されたコンテンツのからコンテンツの特徴的なデータ（特徴データ）を自動的に認識して、認識対象である視聴中または配信中のコンテンツから１以上の特徴データを抽出させる処理をＣＰＵ１５１に実行させる。ここで、特徴データは、視聴中のコンテンツに関連して画面に表示された物体または人物、全体または一部の画像データ、音声データ、及びコンテンツ信号に含まれるデータなどである。抽出された特徴データは、フィンガープリントサーバ３０１に送信され、予めデータベース化されたフィンガープリントと照合される。なお、ＡＣＲ部１５５は、プログラムとしてＲＯＭ１５２またはストレージ１６０等の不揮発性メモリに保持されていても良い。
【００４０】
ストレージ１６０は、コンテンツを記憶する記憶媒体を有する。ストレージ１６０は、例えばハードディスクドライブ（ＨＤＤ）、ＳＳＤ（Solid State Drive）、または半導体メモリなどである。ストレージ１６０は、信号処理部１１３、各種サーバ（フィンガープリントサーバ３０１、コンテンツＩＤ取得サーバ３０２、広告サーバ３０３など）、および携帯情報端末２００などからの供給された録画ストリームやテキストデータなどを記憶することができる。
【００４１】
操作入力部１６１は、例えば、ユーザによる操作入力に応じて操作信号を生成する操作キー、またはタッチパッドなどを備える。また、操作入力部１６１は、キーボード、マウス、または操作信号を生成する事ができる他の入力装置などから操作信号を受け取る構成であってもよい。操作入力部１６１は、操作信号を制御部１５０に供給する。なお、操作入力部１６１は、ＬＡＮインタフェース部１７１および近距離通信部１７４を介して携帯情報端末２００からの信号を受信して操作信号を生成可能に構成されていてもよい。
【００４２】
なお、タッチパッドは、静電容量式センサ、サーモセンサ、または他の方式に基づいて位置情報を生成するデバイスを含む。また、受像機器１００がディスプレイ１３４を備える場合、操作入力部１６１は、ディスプレイ１３４と一体に形成されるタッチパネルなどを備える構成であってもよい。
【００４３】
受信部１６２は、例えば赤外線（Ｉｒ）方式により供給されるリモートコントローラ１６３からの操作信号を受信するセンサなどを備える。受信部１６２は、受信した信号を制御部１５０に供給する。制御部１５０は、受信部１６２から供給された信号を受信し、受信した信号を増幅したのちＡ／Ｄ（Analog to Digital）変換を行うことにより、リモートコントローラ１６３から送信された元の操作信号を復号する。
【００４４】
リモートコントローラ１６３は、ユーザの操作入力に基づいて操作信号を生成する。リモートコントローラ１６３は、生成した操作信号を赤外線通信により受信部１６２に送信する。なお、受信部１６２及びリモートコントローラ１６３は、電波（ＲＦ）などの他の無線通信により操作信号の送受信を行う構成であってもよい。
【００４５】
ＬＡＮ（Local Area Network）インタフェース１７１は、ＬＡＮまたは無線ＬＡＮにより無線通信端末経由で各種サーバ（フィンガープリントサーバ３０１、コンテンツＩＤ取得サーバ３０２、広告サーバ３０３及びネットワーク４０１、４０２、４０３上の各種サーバ等）及び他の機器と通信を行なうことができる。これにより、映像処理装置１００は、無線通信端末に接続されている他の機器と通信することができる。例えば、映像処理装置１００は、ＬＡＮインタフェース１７１によりネットワーク４０１、４０２，４０３上の機器に記録されているストリームを取得し、再生することができる。
【００４６】
外部インタフェース部１７３は、ＨＤＭＩ及びＭＨＬなどの規格に基づいて通信を行うインタフェースである。外部インタフェース部１７３は、例えば、ＨＤＭＩケーブルあるいはＭＨＬケーブルを接続することができる図示されないＨＤＭＩ端子と、ＨＤＭＩ規格に基づいて信号処理を行うＨＤＭＩ処理部と、ＭＨＬ規格に基づいて信号処理を行うＭＨＬ処理部とを備える。なお、ＭＨＬケーブルの映像処理装置１００と接続する側の端子は、ＨＤＭＩケーブルと互換性のある構造を備えている。また、ＭＨＬケーブルは、通信に用いない端子（検知用端子）間に抵抗が接続されている。ここで、外部インタフェース部１７３は、検知用端子に電圧を印加することにより、ＨＤＭＩ端子にＭＨＬケーブルが接続されているかＨＤＭＩケーブルが接続されているかを認識することができる。
【００４７】
受像機器１００は、外部インタフェース部１７３のＨＤＭＩ端子に接続された機器（Source apparatus、ソース機器）から出力されたデータを受信し、再生することができる。また、受像機器１００は、外部インタフェース部１７３のＨＤＭＩ端子に接続された機器（Sink apparatus、シンク機器）に対してデータを出力することができる。
【００４８】
近距離通信部１７４は、携帯情報端末２００とデータを近距離通信で送受信する通信機器である。近距離通信部は、例えば、Ｂｌｕｅｔｏｏｔｈ（登録商標）などである。近距離通信部１７４で受信した携帯情報端末２００からの信号は、制御部１５０に送信され、ＣＰＵ１５１によってデータの送受信の処理が実施される。携帯情報端末２００を近距離通信部１７４にかざすだけでデータ、例えば、広告情報、携帯情報端末２００の識別番号、受像機器１００の識別番号、及びユーザ情報などの送受信が可能である。
【００４９】
制御部１５０は、外部インタフェース部１７３及び近距離通信部１７４において受信したデータ（情報）を信号処理部１１３に供給する。信号処理部１１３は、受信した（供給された）データからデジタル映像信号及びデジタル音声信号などを分離する。信号処理部１１３は、分離したデジタル映像信号を映像処理部１３１に送信し、分離したデジタル音声信号を音声処理部１２１に送信する。これにより、受像機器１００は、外部インタフェース部１７３及び近距離通信部１７４にて受信したデータを表示することができる。この場合、ＡＣＲ部１５５は受信したデータからコンテンツの特徴データを自動的に認識し、ＣＰＵ１５１にそのコンテンツの１以上の特徴データを抽出する処理を実行させる。抽出した特徴データを基に、各種サーバ（フィンガープリントサーバ３０１、コンテンツＩＤ取得サーバ３０２、広告サーバ３０３）との通信を通じて受像機器１００が広告コンテンツ５０１を取得する。受像機器１００は、取得した広告コンテンツ５０１を映像処理部１３１からの映像信号に重畳して表示することができる。受像機器１００は、外部インタフェース部１７３および近距離通信部１７４を介して取得した広告情報を携帯情報端末２００に送信することもできる。
【００５０】
また、受像機器１００は、図示しない電源部を備える。電源部は、ＡＣアダプタなどを介して商用電源などから電力を受け取る。電源部は、受け取った交流の電力を直流に変換し、受像機器１００内の各部へ供給する。
【００５１】
なお、受像機器１００は、入力処理部１９０及び入力処理部１９０と接続するカメラ１９１を有する。カメラ１９１が取得する（ユーザの）画像は、入力処理部１９０を経由して制御部１５０に入力し、制御部１５０と接続する信号処理部１１３により所定の処理及びデジタル信号処理が施される。
【００５２】
また、受像機器１００は、制御部１５０と接続する音声入力処理部１４０を備え、マイクロフォン１４１が取得する音声情報に基づく、通話の開始及び終了を処理できる。
【００５３】
図３は、携帯情報端末２００の一例を示す。
【００５４】
携帯情報端末（ソース機器）２００は、制御部２５０、操作入力部２６４、通信部２７１、ＭＨＬ処理部２７３、及びＡＣＲ用アプリケーション２７５を保持する記憶装置２７４を備える。さらに、携帯情報端末２００は、スピーカ２２２、マイク２２３、ディスプレイ２３４、タッチセンサ２３５を備える。
【００５５】
制御部２５０は、携帯情報端末２００の各部の動作を制御する制御部として機能する。制御部２５０は、ＣＰＵ２５１、ＲＯＭ２５２、ＲＡＭ２５３、及び不揮発性メモリ２５４などを備えている。
【００５６】
制御部２５０は、操作入力部２６４、またはタッチセンサ２３５から供給される操作信号に基づいて、種々の処理を行う。制御部２５０はまた、受像機器１００から供給される制御コマンドに対応する各部の制御やアプリケーションの起動及びそのアプリケーションが提供する処理（機能の実行）を行う（ＣＰＵ２５１が受け持つ場合がある）。
【００５７】
ＣＰＵ２５１は、種々の演算処理を実行する演算素子などを備える。ＣＰＵ２５１は、ＲＯＭ２５２、または不揮発性メモリ２５４などに記憶されているプログラムを実行することにより種々の機能を実現する。
【００５８】
ＣＰＵ２５１はまた、記憶装置２７４に格納されているアプリケーションなどのデータに基づいて、種々の処理を実行することができる。ＣＰＵ２５１はまた、ＭＨＬケーブル１０を通じて受像機器１００から供給される制御コマンドに対応する各部の制御や、アプリケーションの起動及びそのアプリケーションが提供する処理（機能の実行）を行う。
【００５９】
ＲＯＭ２５２は、携帯情報端末２００を制御するためのプログラム、及び各種の機能を実現するためのプログラムなどを記憶する。ＣＰＵ２５１は、操作入力部２６４からの操作信号に基づいて、ＲＯＭ２５２に記憶されているプログラムを起動する。これにより、制御部２５０は、各部の動作を制御する。
【００６０】
ＲＡＭ２５３は、ＣＰＵ２５１のワークメモリとして機能する。すなわち、ＲＡＭ２５３は、ＣＰＵ２５１による演算結果、ＣＰＵ２５１により読み込まれたデータなどを記憶する。
【００６１】
不揮発性メモリ２５４は、各種の設定情報、及びプログラムなどを記憶する不揮発性メモリである。
【００６２】
また、制御部２５０は、ＣＰＵ２５１が実行しているアプリケーションに応じて、種々の画面などの表示用の映像信号を生成し、ディスプレイ２３４に表示させることができる。従って、ディスプレイ２３４は、供給される動画信号（Video）に基づいて、動画（グラフィック）や静止画または文字情報などを表示または再生する。また、制御部２５０は、ＣＰＵ２５１が実行しているアプリケーションに応じて、種々の音声などの再生用の音声信号を生成し、スピーカ２２２により出力させることができる。従って、スピーカ２２２は、供給されるオーディオ信号（Audio）に基づいて、音（音響／音声）を再生する。
【００６３】
マイク２２３は、携帯情報端末２００の周囲の音を集音し、音響信号を生成する。音響信号は、Ａ／Ｄ変換後、制御部２５０により音響データに変換され、ＲＡＭ２５３において、一時的に保持される。音響データは、必要に応じ、Ｄ／Ａ変換後、スピーカ２２２により音声／音響音に変換される（再生される）。音響データはまた、Ａ／Ｄ変換後、音声認識処理により制御コマンドとして、利用される。
【００６４】
ディスプレイ２３４は、例えば、マトリクス状に配列された複数の画素を備える液晶表示パネルと、この液晶パネルを照明するバックライトとを備える液晶表示装置などを備える。ディスプレイ２３４は、映像信号に基づいて映像を表示する。
【００６５】
タッチセンサ２３５は、静電容量式センサ、サーモセンサ、または他の方式に基づいて位置情報を生成するデバイスである。例えば、タッチセンサ２３５は、ディスプレイ２３４と一体に設けられる。これにより、タッチセンサ２３５は、ディスプレイ２３４に表示されている画面上での操作に基づいて操作信号を生成し、制御部２５０に供給することができる。なお、入力操作がボタン式の場合には、タッチセンサ２３５はなくても構わない。
【００６６】
操作入力部２６４は、例えば、ユーザによる操作入力に応じて操作信号を生成するキーを備える。操作入力部２６４は、例えば、音量を調整するための音量調整キー、ディスプレイ２３４の表示輝度を調整するための輝度調整キー、及び、携帯情報端末２００の電源状態を切り替える（オン／オフする）ための電源キーなどを備える。また、操作入力部２６４は、種々の選択操作などを携帯情報端末２００に実行させるためのトラックボールなどをさらに備えていてもよい。操作入力部２６４は、上記したキーの操作に応じて操作信号を生成し、操作信号を制御部２５０に供給する。
【００６７】
また、操作入力部２６４は、キーボード、マウス、または操作信号を生成する事ができる他の入力装置などから操作信号を受け取る構成であってもよい。例えば、携帯情報端末２００がＵＳＢ端子、またはＢｌｕｅｔｏｏｔｈのモジュールなどを備えている場合、操作入力部２６４は、ＵＳＢ、またはＢｌｕｅｔｏｏｔｈにより接続された入力装置から操作信号を受け取り、制御部２５０に供給する。
【００６８】
通信部２７１は、ＬＡＮまたは無線ＬＡＮにより無線通信端末経由でネットワーク４０１、４０２、４０３上の他の機器と通信を行なうことができる。また、通信部２７１は、携帯電話網経由でネットワーク４０１、４０２，４０３上の他の機器と通信を行なうことができる。これにより、携帯情報端末２００は、無線通信端末に接続されている他の機器と通信することができる。例えば、携帯情報端末２００は、通信部２７１によりネットワーク４０１，４０２、４０３上の機器に記録されている動画、写真、音楽データ、及びＷＥＢコンテンツなどを取得し、再生することができる。
【００６９】
外部インタフェース部２７３は、外部機器と接続して通信を行うインタフェースである。例えば、外部インタフェース部２７３は、ＭＨＬ規格に基づいて信号処理を行う。また、外部インタフェース部２７３は、ＭＨＬケーブルを接続することができるＵＳＢ端子を有する。
【００７０】
携帯情報端末２００は、外部インタフェース部２７３に接続された機器（ソース機器）から出力されたデータを受信し、表示することができる。また、携帯情報端末２００は、外部インタフェース部２７３に接続された機器（シンク機器）に対してデータを出力することができる。
【００７１】
また、携帯情報端末２００は、電源部２９０を備える。電源部２９０は、バッテリ（充電池）２９２と、商用電源などから電力を受け取るアダプタと接続するための端子（例えばＤＣジャック）と、を備える。電源部２９０は、商用電源から受け取った電力を、バッテリ２９２に充電する。また、電源部２９０は、バッテリ２９２に充電されている電力を携帯情報端末２００内の各部へ供給する。
【００７２】
記憶装置２７４は、ハードディスクドライブ（ＨＤＤ）、ソリッドステートドライブ（ＳＳＤ）、または半導体メモリなどを備える。記憶装置２７４は、制御部２５０のＣＰＵ２５１により実行されるプログラム、アプリケーション、動画などのコンテンツ、及び種々のデータなどを記憶することができる。記憶装置２７４は、受像機器１００から受信する広告情報を処理するためのＡＣＲ用アプリケーション２７５を保持する。
【００７３】
ＡＣＲ用アプリケーション２７５は、受像機器１００に表示された広告コンテンツ５０１の広告情報（表示広告情報）を容易に処理するためのプログラムである。ここで、ＡＣＲ用アプリケーション２７５の処理は、ＡＣＲ用アプリケーション２７５からの信号を受けたＣＰＵ２５１によって実行される。
【００７４】
ＡＣＲ用アプリケーション２７５は、起動と同時に携帯情報端末２００に登録された受像機器１００との通信回線を接続する。例えば、ＡＣＲ用アプリケーション２７５は、受像機器１００の起動時、携帯情報端末２００の起動時、またはＡＣＲ用アプリケーション２７５の起動時などに通信回線の接続のタイミングを設定可能である。さらに、ＡＣＲ用アプリケーション２７５はバックグラウンドでも起動できる。例えば、バックグラウンドで起動する場合には、ＡＣＲ用アプリケーション２７５のアイコンまたはボタン等がディスプレイ２３４に表示されている。このアイコンを選択することによって、ＡＣＲ用アプリケーション２７５のバックグラウンドとフォアグラウンドとでいずれかで起動させるかをユーザが選択できる。
【００７５】
ＡＣＲ用アプリケーション２７５は、ユーザからの要求、例えばリモートコントローラ１６３からの信号を受けて受像機器１００から送信された広告情報を保持する。図４に示すように、ＡＣＲ用アプリケーション２７５は保持した広告情報をユーザの要求に応じて、広告情報をリスト化して表示する。例えば、ＡＣＲ用アプリケーション２７５は、リスト化して表示された広告情報を並び替えるためのアイコン（並び替えアイコン）を表示されるようにプログラムされていてもよい。この並び替えアイコンが選択されることによって、広告情報が条件に沿って整理されて表示される。なお、並び替えアイコンは、並び替えの条件を設定できるようにプログラムされていてもよい。
【００７６】
ＡＣＲ用アプリケーション２７５は、受像機器１００で表示されたコンテンツを視聴中または配信中に保存された広告コンテンツ５０１の詳細な情報を表示するためのアイコン（表示アイコン）２８０をディスプレイ２３４に表示するようにプログラムされている。ユーザが表示アイコン２８０を選択することによって、さらに詳細な情報（携帯用広告コンテンツ（第２のコンテンツ）５０２）がディスプレイ２３４に表示される。例えば、図４に示すように広告タイトル１の横に（もしくは、周囲に）、広告タイトル１の表示アイコン２８０が表示される。ユーザが広告タイトル１の表示アイコン２８０を選択すると、ＡＣＲ用アプリケーション２７５は、図４に示すディスプレイ２３４の画面から図５へ示すディスプレイ２３４の画面へ移行する処理を実行する。この処理中に、携帯情報端末２００は、ユーザが選択した広告情報を広告サーバ３０３へ送信し、広告サーバ３０３からユーザが選択した広告の携帯用広告コンテンツ５０２を受信する。このようにディスプレイ２３４の画面が切り替えられた後、ディスプレイ２３４には、受像機器１００で視聴中にユーザによって選択された広告の携帯用広告コンテンツ５０２が表示される。携帯用広告コンテンツ５０２は、受像機器１００に表示された広告コンテンツ５０１を携帯情報端末２００に適合するように調整（プログラム）されている。
【００７７】
図５に示されるように、携帯用広告コンテンツ５０２は、ユーザにとって有益な情報（特典情報）、例えば、クーポン券へ移行するためのアイコン（特典情報表示アイコン）５０３を有する。すなわち、ＡＣＲ用アプリケーション２７５の画面には、携帯用広告コンテンツ５０２に加えて特典情報アイコン５０３も表示されている。なお、特典情報アイコン５０３は、ユーザの操作によって選択可能にプログラムされていてもよい。例えば、ユーザが特典情報アイコン５０３をユーザの操作によって選択すると、ＡＣＲ用アプリケーション２７５の画面には、クーポン券、セール品の情報及びセールの日程などの特典情報の詳細が表示される。ユーザは発行した店舗で取得したクーポン券を提示することによってその店舗の商品が割引されるなどの特典を得られる。ユーザが特典情報アイコン５０３を選択した場合、ユーザによって選択された情報が広告サーバ３０３へ送信される。なお、ＡＣＲ用アプリケーション２７５において、携帯用広告コンテンツ５０２に表示された商品を購入するためのボタン（購入ボタン）が備えられていてもよい。ユーザが購入ボタンを選択した場合、サーバ、例えば、広告サーバ３０３を介して広告主の店舗へ購入情報が送信される。
【００７８】
以下で、受像機器１００の処理、携帯情報機器２００の処理、及び送受信システム１の処理の一例について図を参照して説明する。  
図６を参照して、受像機器１００の処理の一例について説明する。  
Ｓ１０１において、受像機器１００で視聴中または配信中のコンテンツの特徴データをＡＣＲ部１５５が自動的に認識し、ＣＰＵ１５１にコンテンツの特徴データを抽出させる。このとき、ＣＰＵ１５１は、抽出した特徴データをストレージ１６０に記録させ、ＬＡＮインタフェース１７１を介して特徴データをフィンガープリントサーバ３０１に送信する。フィンガープリントサーバ３０１からのデータを受信し、受像機器１００で視聴しているコンテンツのフィンガープリントのデータが取得される。ここで、ＣＰＵ１５１は、取得したフィンガープリントのデータをＲＡＭ１５３及びストレージ１６０に記録する。
【００７９】
次に、Ｓ１０２において、ＣＰＵ１５１は、取得したフィンガープリントのデータをコンテンツＩＤ取得サーバ３０２に送信する。コンテンツＩＤ取得サーバ３０２からデータを受信し、受像機器１００で視聴中のコンテンツのコンテンツＩＤが取得される。ここで、ＣＰＵ１５１は、取得したコンテンツＩＤのデータをＲＡＭ１５３及びストレージ１６０に記録する。
【００８０】
Ｓ１０３において、ＣＰＵ１５１は、取得したコンテンツＩＤを広告サーバ３０３に送信する。広告サーバ３０３からの広告情報を受信し、受像機器１００で視聴中のコンテンツの広告情報が取得される。ここで、ＣＰＵ１５１は、取得した広告情報をＲＡＭ１５３およびストレージ１６０に記録する。
【００８１】
Ｓ１０４において、ＣＰＵ１５１は、取得した広告情報のコンテンツＩＤの広告ＩＤと受像機器１００の機器識別番号（機器識別ＩＤ）とを広告サーバ３０３に送信する。受像機器１００は、広告サーバ３０３からの受像機器用の広告コンテンツ５０１のデータを受信する。ここで、ＣＰＵ１５１は、取得した受像機器用の広告コンテンツ５０１のデータをＲＡＭ１５３およびストレージ１６０に記録する。
【００８２】
Ｓ１０５において、ＣＰＵ１５１は、取得した広告コンテンツ５０１のデータをＯＳＤ処理部１３２に送信する。ＯＳＤ処理部１３２は、取得した広告コンテンツ５０１からＯＳＤ信号を生成する。生成されたＯＳＤ信号は、表示処理部１３３へ送られる。表示処理部１３３は、映像処理部１３１から送られた表示信号に広告コンテンツ５０１のＯＳＤ信号を重畳する。ＯＳＤ信号を重畳された映像信号は、ディスプレイ１３４に送られ、画面上に広告コンテンツ５０１が表示される。なお、ユーザは、リモートコントローラ１６３を使用して、ディスプレイ１３４への広告コンテンツ５０１の表示／非表示を選択できてもよい。
【００８３】
ここで、ユーザは、携帯情報端末２００へ広告情報を送信するために、通信機器、例えば、リモートコントローラ１６３を使用して受像機器１００へ信号を送信したとする。この場合、受像機器１００は、ユーザの操作によって発信される信号又は動作を視聴中または配信中の広告コンテンツ５０１に関連する広告情報を保存する信号（保存信号）として検知する。この保存信号を検知した場合、受像機器１００のＣＰＵ１５１は、ストレージ１６０に視聴中の広告コンテンツ５０１の広告情報を保存し、この広告情報を携帯情報端末２００に送信する。すなわち、ＣＰＵ１５１は、ユーザ操作をトリガーとして視聴中の広告コンテンツ５０１の広告情報を携帯情報端末に送信する。例えば、ユーザがリモートコントローラ１６３で割り当てられたボタン（例えば、青いボタン）を押すことによって保存信号がリモートコントローラ１６３から発信される。
【００８４】
Ｓ１０６において、広告コンテンツ５０１に関連する保存信号を受像機器１００が受信した場合、ＬＡＮインタフェース１７１または近距離通信部１７４を介して携帯情報端末２００に通信信号が送信される。携帯情報端末２００から通信信号が返ってきた場合、受像機器１００は携帯情報端末２００と通信回線を接続する。受像機器１００は、広告情報を携帯情報端末２００に送信する。
【００８５】
次に、図７を参照して、携帯情報端末２００の処理の一例について説明する。  
Ｓ２０１において、ユーザの要求（ユーザ操作）または受像機器１００からの信号を受けて、携帯情報端末２００のＣＰＵ２５１がＡＣＲ用アプリケーション２７５を起動する。Ｓ２０２において、携帯情報端末２００は、通信部２７１を介して、受像機器１００から送信された広告コンテンツ５０１の広告情報を受像機器１００から取得する。すなわち、携帯情報端末２００は、通信部２７１を介して、受像機器１００のストレージ１６０に保存されている広告コンテンツ５０１に関連する広告情報、例えば、広告タイトル及び広告ＩＤなどを受像機器１００から取得する。Ｓ２０３において、ＣＰＵ２５１は、取得した広告コンテンツ５０１に関連する広告情報をＲＡＭ２５３および記憶装置２７４に保存する。Ｓ２０４おいて、ＣＰＵ２５１は、ＡＣＲ用アプリケーション２７５に取得した広告コンテンツ５０１の広告情報のリストを作成する。ここで、広告情報のリストでは、例えば、取得した順序、広告のタイトルの順序、またはカテゴリーごとに広告タイトルが表示される。Ｓ２０５において、作成されたリストからユーザが広告コンテンツ５０１のいずれか１つをボタンの操作又は画面のタッチ等のユーザ操作によって選択した場合、ＣＰＵ２５１は、ＡＣＲ用アプリケーション２７５を介して広告サーバ３０３から選択された携帯用広告コンテンツ５０２を取得する。Ｓ２０６において、ＣＰＵ２５１は、広告サーバ３０３から取得した広告コンテンツ５０２をＡＣＲ用アプリケーション２７５（ディスプレイ２３４）に表示する。このとき、ディスプレイ２３４には、特典情報、例えば、クーポン券なども表示されている。
【００８６】
次に、図８を参照して、送受信システム１の処理の一例について説明する。          
Ｓ３０１において、受像機器１００は、フィンガープリントサーバ３０１へ視聴中または配信中のコンテンツの特徴データを送信する。フィンガープリントサーバ３０１は、ネットワーク４０１またはクラウドサービス上からコンテンツのフィンガープリントを収集し、データベース化している。
【００８７】
Ｓ３０２において、受像機器１００から視聴中のコンテンツの特徴データを受信した場合、フィンガープリントサーバ３０１は、特徴データとデータベース化されたフィンガープリントの情報とを照合し、特徴データに適合するフィンガープリントを抽出する。
【００８８】
Ｓ３０３において、フィンガープリントサーバ３０１は、抽出されたフィンガープリントを受像機器１００に送信する。  
Ｓ３０４において、受像機器１００は、受信したフィンガープリントをストレージ１６０などに保存し、コンテンツＩＤ取得サーバ３０２に送信する。コンテンツＩＤ取得サーバ３０２は、フィンガープリントとコンテンツＩＤとを収集し、データベース化して保持している。したがって、Ｓ３０５において、コンテンツＩＤ取得サーバ３０２が受像機器１００からフィンガープリントを受信した場合、コンテンツＩＤ取得サーバ３０２は、受信したフィンガープリントとコンテンツＩＤとを照合し、受信したフィンガープリントに適合するコンテンツＩＤを抽出する。Ｓ３０６において、コンテンツＩＤ取得サーバ３０２は、抽出したコンテンツＩＤを受像機器１００へ送信する。
【００８９】
Ｓ３０７において、コンテンツＩＤ取得サーバ３０２からコンテンツＩＤを受信した場合、受像機器１００は、受信したコンテンツＩＤをストレージ１６０などに保存し、広告サーバ３０３へコンテンツＩＤおよび機器識別番号送信する。広告サーバ３０３は、コンテンツＩＤ、広告情報と広告コンテンツ５０１とを収集し、データベース化して保持している。Ｓ３０８において、広告サーバ３０３はコンテンツＩＤおよび機器識別番号と広告情報とを照合し、コンテンツＩＤと適合する広告情報を抽出する。Ｓ３０９において、広告サーバ３０３は、機器識別番号で判別した機器種別に適合する抽出した広告情報を受像機器１００に送信する。
【００９０】
Ｓ３１０において、広告サーバ３０３から広告情報を受信した場合、受像機器１００は、受信した広告情報をストレージに保存し、受信した広告情報の広告ＩＤおよび機器識別番号を広告サーバ３０３へ再度送信する。Ｓ３１１において、広告サーバ３０３は、広告情報の広告ＩＤおよび機器識別番号と受像機器用広告コンテンツ５０１とを照合し、受信した広告ＩＤと適合する広告コンテンツ５０１を抽出する。Ｓ３１２において、広告サーバ３０３は、機器識別番号で判別した機器種別に適合する抽出した広告コンテンツ５０１を受像機器へ送信する。
【００９１】
Ｓ３１３において、広告サーバ３０３から広告コンテンツ５０１を受信した場合、受像機器１００は、受信した広告コンテンツ５０１をストレージ１６０などに保存し、ディスプレイ１３４に広告コンテンツ５０１を表示する。
【００９２】
Ｓ３１４において、ユーザによって視聴中の広告コンテンツ５０１を保存する保存信号が発信され、その保存信号が受像機器１００で受信された場合、受像機器１００は、携帯情報端末２００へ視聴中の広告コンテンツ５０１の広告情報を送信する。受信した広告情報をＡＣＲ用アプリケーション２７５によって保存した分の広告情報をリスト化し、広告情報のタイトルがリストで表示される。Ｓ３１５において、そのリストから表示したい広告情報が選択され、ユーザによって表示ボタンを押された場合、携帯情報端末２００は、広告サーバ３０３から携帯用広告コンテンツ５０２を取得する。そして、Ｓ３１６において、取得した携帯用広告コンテンツ５０２は、ＡＣＲ用アプリケーション２７５を使用して表示される。取得された携帯用広告コンテンツ５０２が表示されているとき、特典情報５０３もＡＣＲ用アプリケーションに表示される。
【００９３】
なお、図９に示すように、保存信号は、リモートコントローラ１６３からに限らず、携帯情報端末２００から発信されてもよい。このような場合、ＡＣＲ用アプリケーション２７５は、保存ボタン２８１を表示するようにプログラムされている。ＡＣＲ用アプリケーション２７５に表示された保存ボタン２８１をユーザが操作によって選択した場合、携帯情報端末２００は、受像機器１００に保存信号を送信する。受像機器１００が携帯情報端末２００からの保存信号を受信した場合、受像機器１００は、ＬＡＮインタフェース１７１または近距離通信部１７４を介して、携帯情報端末２００へ視聴中の広告コンテンツ５０１の広告情報を送信する。携帯情報端末２００が広告情報を受像機器１００から受信した場合、携帯情報端末２００のＣＰＵ２５１は、取得した広告コンテンツ５０１の広告情報をＲＡＭ２５３および記録装置２７４に保存する。この場合、リモートコントローラ１６３または携帯情報端末２００から保存信号を送ることができるので、リモートコントローラ１６３または携帯情報端末２００のいずれかがあれば広告情報を携帯情報端末２００に保存できる。
【００９４】
また、図１０に示すように、ＡＣＲ用アプリケーション２７５が視聴中に携帯情報端末２００に携帯用広告コンテンツ５０２を表示するようにプログラムされていてもよい。この場合、ＡＣＲ用アプリケーション２７５を起動すると同時に、受像機器１００と通信回線が接続される。受像機器１００からは視聴中のコンテンツの広告コンテンツ５０１の広告情報が携帯情報端末２００に常時送信される。携帯情報端末２００は、受信した広告情報を広告サーバ３０３に送信し、広告サーバ３０３から携帯用広告コンテンツ５０２のデータを取得する。携帯情報端末２００は、取得した携帯用広告コンテンツ５０２をＡＣＲアプリケーション２７５で表示する。このとき、受像機器１００に表示される広告コンテンツ５０１と携帯情報端末２００に表示される携帯用広告コンテンツ５０２とは同様の広告の情報である。ユーザが携帯情報端末２００に表示されている携帯用広告コンテンツ５０２を操作によって選択すると、携帯用広告コンテンツ５０２の広告情報がＡＣＲ用アプリケーション２７５に保存される。このような場合、ＡＣＲ用アプリケーションは、携帯用広告コンテンツ５０２が表示された画面に保存された広告情報を一覧表示するためのリストボタン２８２を表示するようにプログラムされていてもよい。ユーザがリストボタン２８２をディスプレイのタッチまたはボタンの操作等のユーザ操作によって選択した場合、前述のようにリスト化された広告情報が表示される。
【００９５】
このように携帯用広告コンテンツ５０２を選択することによって広告情報を保存できる場合、ユーザは視覚的に保存したい広告情報を確認することができる。
【００９６】
（第２の実施形態）
以下で図１１乃至図１６を参照して第２の実施形態について説明する。第２の実施形態の送受信システム１は、第１の実施携帯の送受信システムとほぼ同等の構成である。したがって、第１の実施形態の構成要素と同一の構成要素には同一の参照符号を付し、詳細な説明は省略する。第２の実施形態の送受信システム１は情報管理サーバ３０４をさらに含む構成であることが第１の実施形態の送受信システム１と異なる。
【００９７】
第２の実施形態の送受信システム１は、さらに情報管理サーバ３０４を含む。  
本実施形態の広告サーバ３０３は、ネットワーク４０３を介して取得した情報からユーザの視聴するコンテンツの嗜好傾向を分析する機能をさらに有する。
【００９８】
情報管理サーバ３０４は、管理情報、例えば、機器識別番号、ユーザＩＤ、クリック回数、取得した広告、リピート回数、視聴中または配信中のコンテンツ（番組およびＣＭ）の傾向などをデータベース化して保持する。情報管理サーバ３０４は、ネットワーク４０４またはネットワーク４０４のクラウドサービス（各種サーバ）から管理情報に関連する広告情報を収集し、管理情報とともに収集した広告情報もデータベース化して保持する。情報管理サーバ３０４は、さらに広告情報および広告コンテンツ５０１を保持してもよく、広告サーバ３０３と同一のサーバとして機能してもよい。情報管理サーバ３０４は、受像機器１００と無線または有線で通信することができる。情報管理サーバ３０４は、受像機器１００から管理情報を取得する。情報管理サーバ３０４は、ネットワーク４０３、４０４を介して広告サーバ３０３に管理情報の一部を広告サーバ３０３へ提供することができる。情報管理サーバ３０４は、携帯情報端末２００とも無線または有線で通信することができる。なお、情報管理サーバ３０４は、受像機器１００からの要求に応じて、管理情報を提供してもよい。
【００９９】
図１２に示すように、本実施形態の携帯情報端末２００において、広告の表示ボタン２８０がユーザによって選択された場合、ＣＰＵ２５１は広告サーバ３０３から携帯用広告コンテンツ５０２を取得する。その後、図１２から図１３に示す画面に移行し、ＣＰＵ２５１はＡＣＲ用アプリケーション２７５に取得した携帯用広告コンテンツ５０２を表示する。携帯用広告コンテンツ５０２には、特典情報アイコン５０３及びユーザの嗜好傾向に適合する携帯用広告コンテンツ（携帯用個別広告コンテンツ）も含まれている。ここで、携帯用個別広告コンテンツは、ユーザの要求に応じて非表示にすることができる。ＣＰＵ２５１は、ユーザが選択した広告の情報、表示ボタンのクリック回数、および携帯情報端末ＩＤなどの管理情報を情報管理サーバ３０４へ送信する。なお、特典情報アイコン５０３は、ユーザ操作によって選択できるようにプログラムされていてもよい。ユーザが特典アイコン５０３を選択した場合、ＣＰＵ２５１は、広告サーバ３０３から特典情報コンテンツを取得し、ＡＣＲ用アプリケーション２７５に表示する。このとき、ＣＰＵ２５１は、ユーザが特典情報５０３をクリックしたという情報を管理サーバ３０４へ送信する。なお、ＡＣＲ用アプリケーション２７５は、表示ボタン２８０を押した回数を表示されるようにプログラムされていてもよい。
【０１００】
次に、図を参照して、受像機器１００、携帯情報機器２００、および送受信システム１の処理の一例について図を参照して説明する。
【０１０１】
図１４は、情報管理サーバ３０４に関連する受像機器１００の処理の一例を示すフローチャートである。本実施形態において、受像機器１００が広告コンテンツ５０１を取得するまでの処理は、第１の実施形態と同等である。したがって、受像機器１００が情報管理サーバ３０４から取得する処理について説明する。
【０１０２】
Ｓ４０１において、視聴中のコンテンツの広告コンテンツ５０１に対して保存信号が発信された場合、ＣＰＵ１５１は、携帯情報端末２００に広告コンテンツ５０１の広告情報、受像機器１００の機器識別番号およびユーザＩＤなどを送信する。ここで、ユーザＩＤは、受像機器１００を使用しているユーザを識別するための番号、または受像機器に関連してユーザ登録することによって配布される番号などである。Ｓ４０２において、ＣＰＵ２５１は、ユーザによって保存された広告情報をストレージ１６０に保存し、管理情報、例えば、保存した広告情報、ユーザＩＤ、および機器識別番号などを情報管理サーバ３０４に送信する。広告サーバ３０３は、ネットワーク４０３を介して情報管理サーバ３０４から取得した情報からユーザの嗜好傾向を分析する。Ｓ４０３において、受像機器１００は、広告サーバ３０３からユーザの嗜好傾向に適合する広告コンテンツ（個別広告コンテンツ）を含む広告コンテンツ５０１を受信する。ここで、ＣＰＵ１５１は、ユーザの要求に応じて広告コンテンツの個別広告コンテンツを表示／非表示にできる。
【０１０３】
図１５は、情報管理サーバ３０４に関連する携帯情報端末２００の処理の一例を示すフローチャートである。本実施形態において、受像機器１００から視聴中の広告コンテンツ５０１の広告情報を取得し、広告サーバ３０３から携帯用広告コンテンツ５０２を取得する処理は、第１の実施形態とほぼ同等である。
【０１０４】
Ｓ５０１において、携帯情報端末２００は、受像機器１００から保存する広告情報及び受像機器１００の機器識別番号を受信する。Ｓ５０２において、受信した広告情報及び機器識別番号は、ＡＣＲ用アプリケーション２７５（記憶装置２７４）に保存される。Ｓ５０３において、ＣＰＵ２５１は、取得した広告情報の広告タイトルをリスト化してＡＣＲ用アプリケーション２７５の表示画面に表示する。Ｓ５０４において、ユーザが確認したい広告コンテンツの表示ボタン２８０を選択した場合、ＣＰＵ２５１は選択された広告コンテンツ５０２を広告サーバ３０３から取得する。Ｓ５０５において、ＣＰＵ２５１は、管理情報を情報管理サーバ３０４に送信する。ここで、情報管理サーバ３０４は、管理情報の一部を広告サーバ３０３に提供し、広告サーバ３０３は、その管理情報の一部からユーザの嗜好傾向を分析する。Ｓ５０６において、広告サーバ３０３から携帯用個別広告コンテンツを含む携帯用広告コンテンツ５０２の情報が取得される。このとき、ＣＰＵ２５１は、ユーザの要求に応じて携帯用広告コンテンツ５０２の携帯用個別広告コンテンツを表示／非表示にできる。
【０１０５】
図１６は、情報管理サーバ３０４に関連する送受信システム１の処理の一例を示すフローチャートである。本実施形態において、受像機器１００が広告コンテンツ５０１を取得するまでの処理は、第１の実施形態と同等である。
【０１０６】
Ｓ６０１において、受像機器１００が保存信号を受信した場合、受像機器１００は携帯情報端末２００に広告情報を送信する。次に、Ｓ６０２において、受像機器１００は、情報管理サーバ３０４に管理情報を送信する。Ｓ６０３において、情報管理サーバ３０４は、受信した管理情報と広告情報とを照合し、ネットワーク４０３、４０４を介して広告サーバ３０３に管理情報の一部を送信する。Ｓ６０４において、広告サーバ３０３は、受信した管理情報の一部からユーザの嗜好傾向を分析する。Ｓ６０５において、広告サーバ３０３は、ユーザの嗜好傾向と広告コンテンツとを照合し、個別広告コンテンツを受像機器１００に送信する。Ｓ６０６において、受像機器１００は、個別広告コンテンツを含む広告コンテンツ５０１を受信する。受像機器１００は、ユーザの要求に応じて広告コンテンツ５０１の個別広告コンテンツを表示／非表示にできる。
【０１０７】
Ｓ６０１後のＳ６０７において、携帯情報端末２００は、受信した広告情報から表示したい広告情報を選択し、携帯用広告コンテンツ６０７を広告サーバ３０３から取得する。携帯情報端末２００は、ユーザによって選択された広告情報に関連する管理情報を情報管理サーバ３０４に送信し、Ｓ６０３の処理に移行する。
【０１０８】
Ｓ６０４後のＳ６０９において、広告サーバ３０３は、個別広告コンテンツを含む携帯用広告コンテンツ５０２を携帯情報端末２００に送信する。Ｓ６１０において、携帯情報端末２００は、個別広告コンテンツを含む携帯用広告コンテンツ５０２を受信する。ここで、携帯用情報端末２００は、ユーザの要求に応じて携帯用広告コンテンツ５０２の携帯用個別広告コンテンツを表示／非表示にできる。
【０１０９】
本実施形態によれば、受像機器１００及び携帯情報端末２００は、ユーザが実施した操作及び選択した広告情報等に関連する情報を情報管理サーバ３０４で管理できる。また、送受信システム１は、情報管理サーバ３０４で管理される管理情報の一部を取得することによってユーザの嗜好傾向に適合する広告情報を提供することができる。
【０１１０】
（第３の実施形態）
以下で図１７乃至図２２を参照して第３の実施形態について説明する。第２の実施形態の送受信システム１は、第３の実施携帯の送受信システムとほぼ同等の構成である。したがって、第２の実施形態の構成要素と同一の構成要素には同一の参照符号を付し、詳細な説明は省略する。第２の実施形態の送受信システム１は、非選択の広告情報を記録できる構成であることが第１の実施形態の送受信システム１と異なる。
【０１１１】
本実施形態の受像機器１００は、視聴中のコンテンツで表示される全ての広告コンテンツをストレージ１６０、または外部インタフェース部１７３を介して接続された外部記録装置に保存することができる。以下で視聴中のコンテンツで表示される全ての広告コンテンツを保存することを“全部保存”機能と称する。なお、“全部保存”機能で取得する広告コンテンツの容量が大きくなければ、情報管理サーバ３０４に“全部保存”機能で取得した広告コンテンツが保存されてもよい。
【０１１２】
リモートコントローラ１６３は、視聴中の広告コンテンツ５０１の広告情報を保存するための保存ボタン１６４と、“全部保存”するための全部保存ボタン１６５とを備える。ここで、例えば一般的な地上デジタル放送用のＴＶのリモートコントローラにおいて、保存ボタン１６４は、青ボタンに割り当てられ、全部保存ボタン１６５は、同様に赤ボタンに割り当てられていてもよい。ユーザの要求に応じて発信された保存信号によって保存された広告情報を“選択広告情報”と称し、“全部保存”機能によって保存された広告情報を“全部保存”広告情報と称する。
【０１１３】
図１８は、本実施形態の携帯情報端末２００の概要を示す図である。携帯情報端末２００は、ＡＣＲ用アプリケーション２７５を起動すると、受像機器１００から“全部保存”された広告情報、例えば、広告ＩＤ，広告タイトルおよび機器識別番号を受信する。携帯情報端末２００は、ＡＣＲ用アプリケーション２７５（記憶装置２７４）に“全部保存”広告情報を保存する。また、ユーザによって保存ボタン１６４が押された場合、携帯情報端末２００は受像機器１００から選択広告情報を受信する。このとき、ＣＰＵ２５１は、ＡＣＲ用アプリケーション２７５に保存している“全部保存”広告情報から選択広告情報を分離する。
【０１１４】
図１８に示すように、本実施形態の携帯情報端末２００において、ＡＣＲ用アプリケーション２７５は、“全部保存”広告情報の内、ユーザによって保存ボタン１６４を押されなかった広告（非選択広告）をリストで表示するためのボタン（非選択広告表示ボタン）２９０を含む。非選択広告表示ボタン２９０がユーザ操作によって選択された場合、ＣＰＵ２５１は、ＡＣＲ用アプリケーション２７５の画面に非選択広告のタイトルのリストを表示するようにプログラムされている。
【０１１５】
図１８から図１９に示す画面に移行した場合、非選択広告情報のタイトルのリストが表示される。ＡＣＲ用アプリケーション２７５の画面には、非選択広告情報を選択広告情報に移行するための保存ボタン２８１が表示されている。ユーザによって“全部保存”ボタン２８１が押された場合、携帯情報機器２００は、“全部保存“広告情報を受像機器１００から受信し、ＡＣＲ用アプリケーション２７５に保存する。
【０１１６】
次に、図を参照して、受像機器１００、携帯情報機器２００、および送受信システム１の処理の一例について図を参照して説明する。
【０１１７】
図２０は、受像機器１００の処理の一例を示すフローチャートである。本実施形態において、受像機器１００が広告情報を携帯情報端末２００に送信するまでの処理は、第２の実施形態と同等である。したがって、“全部保存”機能の処理について説明する。
【０１１８】
Ｓ７０１において、視聴中のコンテンツの広告コンテンツ５０１に対して保存信号が発信された場合、ＣＰＵ１５１は、ストレージ１６０または外部インタフェース部１７３を介して接続された記憶装置などに視聴中のコンテンツが終了するまでの全ての広告コンテンツ５０１を保存する。ＣＰＵ１５１は、“全部保存”広告情報を選択広告情報と非選択広告情報とに分離する。制御部１５０は、入力部１１１から入力される信号から視聴中のコンテンツの終了を判断する。
【０１１９】
Ｓ７０２において、受像機器１００は、ユーザの要求に応じて、“全部保存”機能で取得した“全部保存”広告情報の非選択広告情報をリストで表示できる。 “ユーザは、リモートコントローラ１６３を使用して表示されたリストから保存したい広告を選択できる。なお、受像機器１００は、視聴中であってもユーザの要求に応じて“全部保存”広告情報をリストで表示でき、例えば保存ボタン１６４を押すことによって非選択広告情報を選択広として保存することができる。
【０１２０】
Ｓ７０３において、ＣＰＵ１５１は、選択広告情報、“全部保存”機能で取得した非選択広告情報、受像機器１００の機器識別番号およびユーザＩＤなどを携帯情報端末２００に送信する。Ｓ７０４において、ＣＰＵ１５１は、選択広告情報と“全部保存”機能を使用した回数などの管理情報を情報管理サーバ３０４に送信する。Ｓ７０５において、広告サーバ３０３は、ネットワーク４０３を介して情報管理サーバ３０４から取得した情報からユーザの嗜好傾向を分析する。受像機器１００は、広告サーバ３０３から個別広告コンテンツを含む広告コンテンツ５０１を受信する。ＣＰＵ１５１は、ユーザの要求に応じて個別広告コンテンツを表示／非表示にできる。
【０１２１】
図２１は、携帯情報端末２００の処理の一例を示すフローチャートである。本実施形態において、携帯情報端末２００の処理は、第２の実施形態とほぼ同等である。したがって、“全部保存”機能によって取得された広告情報に関連する処理について説明する。
【０１２２】
Ｓ８０１において、携帯情報端末２００は、受像機器１００から広告情報、機器識別番号及びユーザＩＤなどを受信する。このとき、ＣＰＵ２５１は、受像機器１００から受信した、選択広告情報、非選択広告情報、機器識別番号及びユーザＩＤなどをＡＣＲ用アプリケーション２７５（記憶装置２７４）に保存する。Ｓ８０２において、ＣＰＵ２５１は、ユーザの要求に応じて、取得した非選択広告情報のリストをＡＣＲ用アプリケーション２７５の表示画面に表示する。Ｓ８０３において、非選択広告情報を保存するために保存ボタン２８１をユーザ操作によって選択した場合、ＣＰＵ２５１は選択された非選択広告情報をＡＣＲ用アプリケーション２７５に保存する。Ｓ８０４において、ＣＰＵ２５１は、非選択広告情報を選択情報として保存したことを管理情報として情報管理サーバ３０４に送信する。ここで、情報管理サーバ３０４は、管理情報の一部を広告サーバ３０３に提供し、広告サーバ３０３は、その管理情報の一部からユーザの嗜好傾向を分析する。Ｓ８０５において、広告サーバ３０３から携帯用個別広告コンテンツを含む携帯用広告コンテンツ５０２の情報が取得される。このとき、ＣＰＵ２５１は、ユーザの要求に応じて携帯用個別広告コンテンツを表示／非表示にできる。
【０１２３】
図２２は、送受信システム１の処理の一例を示すフローチャートである。本実施形態において、送受信システム１の処理は、第２の実施形態の処理とほぼ同等である。したがって、“全部保存”機能に関連する処理について説明する。
【０１２４】
Ｓ９０１において、 “全部保存”機能が選択された場合、受像機器１００は、広告サーバ３０３から視聴中のコンテンツの広告情報を取得する。取得した広告情報は、ストレージ１６０または外部インタフェース部１７３を介して接続された外部記憶装置に保存される。Ｓ９０２において、ユーザの要求に応じて受像機器１００は、“全部保存”機能で保存した非選択広告情報をリストで表示する。そのリストから、受像機器１００は、選択された非選択情報を選択広告情報としてストレージ１６０に保存する。Ｓ９０３において、受像機器１００は、“全部保存”機能で保存した選択広告情報および非選択広告情報と、機器識別番号と、ユーザＩＤなどを携帯情報端末２００に送信し、管理情報を情報管理サーバ３０４に送信する。
【０１２５】
Ｓ９０４において、情報管理サーバ３０４は、管理情報と広告情報とを照合し、管理情報の一部を広告サーバ３０３にネットワーク４０３、４０４を介して送信する。Ｓ９０５において、広告サーバ３０３は、管理情報の一部からユーザの嗜好傾向を分析する。Ｓ９０６において、広告サーバ３０３は、分析した嗜好傾向に適合した個別広告情報を含む広告コンテンツ５０１を受像機器１００に送信する。Ｓ９０７において、受像機器１００は、ユーザの嗜好傾向に適合する個別広告コンテンツを含む広告コンテンツ５０１を受信する。
【０１２６】
受像機器１００は、ユーザの要求に応じて広告コンテンツ５０１の個別広告コンテンツを表示／非表示にできる。
【０１２７】
Ｓ９０２後のＳ９０８において、携帯情報端末２００は、広告情報（選択広告情報及び非選択広告情報）、機器識別番号及びユーザＩＤなどを受信する。Ｓ９０９において、携帯情報端末２００は、ユーザの要求に応じて、非選択広告情報を選択広告情報としてＡＣＲ用アプリケーション２７５に保存する。Ｓ９１０において、携帯情報端末２００は非選択広告情報を選択広告情報として保存したことを情報管理サーバ３０４に送信し、Ｓ９０４の処理に移行する。
【０１２８】
Ｓ９０５後のＳ９１１において、広告サーバ３０３は、携帯用個別広告コンテンツを含む携帯用広告コンテンツ５０２を携帯情報端末２００に送信する。Ｓ９１２において、携帯情報端末２００は、個別広告コンテンツを含む携帯用広告コンテンツ５０２を受信する。ここで、携帯用情報端末２００は、ユーザの要求に応じて携帯用広告コンテンツ５０２の携帯用個別広告コンテンツを表示／非表示にできる。
【０１２９】
第３の実施形態によれば、ユーザは“全部保存”機能を使用することによって視聴中に保存し忘れた広告情報を視聴後又は視聴中に保存することができる。  
前述した幾つかの実施形態によれば、受像機器１００は、視聴中のコンテンツに関連する広告情報を携帯情報端末２００に保存できる。この結果、場所や時間によらず、ユーザは、携帯情報端末２００に受像機器１００で視聴中に保存した広告情報を任意のタイミングで表示することができる。また、広告情報に特典情報が含まれる場合には、ユーザが店舗などで特典情報が表示された画面を提示することで特典を得られるといったサービスにも使用できる。
【０１３０】
なお、前述した幾つかの実施形態では、携帯情報端末２００で広告情報を確認（表示）する場合には、ＡＣＲ用アプリケーションを使用するとしたが、ブラウザなどを使用してインターネット経由で確認できる構成でもよい。この場合、例えば、受像機器１００、広告サーバ３０３または情報管理サーバ３０４が広告情報を保持し、無線または有線経由で広告情報をブラウザで確認できてもよい。
【０１３１】
また、前述の実施形態では、保存信号はリモートコントローラ１６３または携帯情報端末２００から発信されるとしたが、受像機器１００のカメラ１９１でユーザの特定の動作を保存信号として検知してもよい。
【図１】
2015129023.tif 000003
【図２】
2015129023.tif 000004
【図３】
2015129023.tif 000005
【図４】
2015129023.tif 000006
【図５】
2015129023.tif 000007
【図６】
2015129023.tif 000008
【図７】
2015129023.tif 000009
【図８】
2015129023.tif 000010
【図９】
2015129023.tif 000011
【図１０】
2015129023.tif 000012
【図１１】
2015129023.tif 000013
【図１２】
2015129023.tif 000014
【図１３】
2015129023.tif 000015
【図１４】
2015129023.tif 000016
【図１５】
2015129023.tif 000017
【図１６】
2015129023.tif 000018
【図１７】
2015129023.tif 000019
【図１８】
2015129023.tif 000020
【図１９】
2015129023.tif 000021
【図２０】
2015129023.tif 000022
【図２１】
2015129023.tif 000023
【図２２】
2015129023.tif 000024
【国際調査報告】
2015129023.tif 000025
2015129023.tif 000026
2015129023.tif 000027
2015129023.tif 000028